(57)【要約】【課題】強度雑音が小さく、無変調出力が得られる周波数安定化レーザを簡便な構成で実現することを目的とする。【解決手段】本発明は、単一周波数発振し、両劈開面より出力を取り出せる半導体レーザと、半導体レーザに注入する電流を変調する変調信号発生器と、半導体レーザの一方の劈開面に接続され、半導体レーザの発振波長に対して光学利得を有さない位相調整領域と光学利得を有する利得領域を光導波路内に有し、位相調整領域及び利得領域に電流を注入できる半導体光増幅器と、半導体レーザのもう一方の劈開面からの出力レーザ光の周波数の、光周波数基準からのずれ量とその方向とを示す誤差電圧信号を検出し、誤差電圧を、半導体レーザに負帰還する周波数安定化回路とを備え、出力が飽和する条件で動作させた半導体光増幅器に半導体レーザの出力レーザ光を入射して光増幅し、変調信号発生器の信号の一部の振幅と位相を適当に調整した後、半導体光増幅器の位相調整領域に負帰還する。【選択図】図３
2018032822.tif 000002
【特許請求の範囲】
【請求項１】
単一周波数発振し、両劈開面より出力を取り出せる半導体レーザと、
前記半導体レーザに注入する電流を変調する変調信号を発生する変調信号発生器と、
第１の光導波路を介して前記半導体レーザの一方の劈開面に接続され、前記半導体レーザの発振波長に対して光学利得を有さない位相調整領域と光学利得を有する利得領域を光導波路内に有し、前記位相調整領域及び前記利得領域に電流を注入できる半導体光増幅器と、
前記半導体レーザの他方の劈開面からの出力レーザ光の周波数の、光周波数基準からのずれ量とその方向とを示す誤差電圧信号を検出し、前記誤差電圧信号を、前記半導体レーザに負帰還する周波数安定化回路と
を備え、
出力が飽和する条件で動作させた前記半導体光増幅器に前記半導体レーザの出力レーザ光を入射して光増幅し、
前記変調信号の振幅と位相を調整した後、前記半導体光増幅器の位相調整領域に負帰還することを特徴とする周波数安定化レーザ。
【請求項２】
前記周波数安定化回路は、
第２の光導波路を介して前記半導体レーザの他方の劈開面に接続された周波数弁別素子と、
前記周波数弁別素子を透過した出力レーザ光を検出する光検出器と、
前記光検出器に接続された同期検波回路と、
前記同期検波回路の出力端に接続された負帰還制御回路と、
前記負帰還制御回路から出力される電圧信号と前記変調信号と加算する加算回路とを備え、
前記光検出器からの出力される電気信号と前記変調信号発生器から出力される信号の一部とを用い、前記同期検波回路において同期検波を行うことで前記周波数弁別素子の共鳴周波数と前記半導体レーザの発振周波数との差を示す誤差電圧信号を前記同期検波回路より出力し、前記誤差電圧信号の振幅と位相を適当に調整した後、前記加算回路を介して前記半導体レーザの注入電流に負帰還することを特徴とする請求項１に記載の周波数安定化レーザ。
【請求項３】
前記周波数弁別素子は、特定の波長の光を吸収するガスが封入されたガスセルであり、前記特定の波長の光を吸収するガスの吸収スペクトルを基準周波数として利用するガスセルことを特徴とする請求項の２に記載の周波数安定化レーザ。
【請求項４】
前記周波数弁別素子は、光フィルタであり、前記光フィルタの共振スペクトルを基準周波数として利用することを特徴とする請求項の２に記載の周波数安定化レーザ。
【請求項５】
低熱膨張係数を有する材料を用いた光フィルタの共振スペクトルを基準周波数として利用することを特徴とする請求項の４に記載の周波数安定化レーザ。
【請求項６】
前記第１の光導波路及び前記第２の光導波路は光ファイバであることを特徴とする請求項２乃至５のいずれか１項に記載の周波数安定化レーザ。
【請求項７】
前記第１の光導波路及び前記第２の光導波路は偏波保持光ファイバであることを特徴とする請求項の６に記載の周波数安定化レーザ。
【請求項８】
前記第１の光導波路及び前記第２の光導波路はレンズを用いた空間結合回路であることを特徴とする請求項２乃至５のいずれか１項に記載の周波数安定化レーザ。
【発明の詳細な説明】
【技術分野】
【０００１】
本発明は周波数安定化レーザに関し、より詳細には強度雑音の小さい無変調出力型周波数安定化レーザに関する。
【背景技術】
【０００２】
周波数安定化レーザは光通信、光度量衡及び高精度光干渉計測といった分野において重要な役割を果たす。これまで様々な波長帯において、ファブリペロー共振器の共鳴線や、原子、分子の線形または飽和吸収スペクトルを光周波数基準として用いた周波数安定化光源が開発されている（非特許文献１及び２参照）。
【０００３】
出力レーザ光の周波数を共振器の共鳴線や吸収スペクトルのピークに安定化する手法としては、位相敏感検波によって出力レーザ光の周波数の光周波数基準からのずれ量とその方向を示す誤差電圧信号を検出し、この誤差電圧を、レーザ周波数調整機構に負帰還する方式が一般的である。このような検波回路は、位相変調したレーザ光を光周波数基準となる共鳴線を通すことで強度変調信号に変換し、同期検波を行うことにより、誤差電圧信号を得ることができる。レーザの周波数安定度は誤差電圧信号のＳＮ比に依存する。高い周波数安定度を実現するためにはＳＮ比の高い誤差電圧信号を出力する必要があり、そのためには変調度の高い位相変調が不可欠となる。
【０００４】
出力レーザ光の位相変調を行う手法としては、これまでレーザ共振器を直接変調する直接変調方式と、レーザ共振器外部で光変調器を用いて位相変調を加える外部変調方式が提案されている。
【０００５】
直接変調方式は、変調度の高い位相変調を容易に実現でき、その結果、ＳＮ比の高い電圧誤差信号を得られるメリットがある。しかしながら、出力レーザ光には位相変調成分が重畳されるため、直接変調する方式による出力レーザ光の信号を光通信や干渉計測等の分野へ応用するには大きな障害となる。
【０００６】
一方、外部変調方式では、得られる出力レーザ光は無変調であり、出力レーザ光を様々な分野へ応用するうえで大きなメリットとなる。しかしながらレーザ共振器外部に余分に光位相変調器が必要となり、レーザの構成がやや大型化してしまう。また直接変調方式と比べて、変調度の高い位相変調を実現することは容易ではない。
【０００７】
以下に、直接変調方式または外部変調方式を用いた周波数安定化レーザの具体例として、波長１．５μｍ帯アセチレン周波数安定化レーザの構成を示す。
【０００８】
図１は、従来の直接変調方式の周波数安定化レーザの構成を示す図である（非特許文献３参照）。図１の周波数安定化レーザ１００は、光源であるＤＦＢ半導体レーザ１０１と、ＤＦＢ半導体レーザ１０１からの出力レーザ光を透過するレンズ１０３と、レンズ１０３を透過したレーザ光が入射する光ファイバ１０５とを備える。また、周波数安定化レーザ１００は、ＤＦＢ半導体レーザ１０１からのレーザ光が透過するレンズ１０４と、レンズ１０４を透過したレーザ光の周波数を弁別するガスセル１０６と、ガスセル１０６を透過した光の強度を検出する光検出器１０７とを備える。また、周波数安定化レーザ１００は、ＤＦＢ半導体レーザ１０１を駆動する電流源１０２と、電流源１０２を変調する変調信号発生器１０９とを備える。また、周波数安定化レーザ１００は、光検出器１０７の出力信号と及び変調信号発生器１０９からの信号を受信するロックインアンプ１０８と、ロックインアンプ１０８からの信号を調整する負帰還回路１１０と、変調信号発生器からの信号と負帰還回路からの信号を加算して電流源１０２に出力する加算回路１１１とを備える。ガスセル１０６は、アセチレンガスが封入されたガラス製のガスセルであり、アセチレン分子の線形吸収線を光周波数基準として用いている。
【０００９】
図１の周波数安定化レーザ１００は、変調信号発生器１０９からの変調信号によりＤＦＢ半導体レーザ１０１の注入電流を変調して出力レーザ光に位相変調を与え、ロックインアンプ１０８において光検出器１０７からの電圧信号と変調信号発生器１０９とを同期検波する。ロックインアンプ１０８からは、ＤＦＢ半導体レーザ１０２からの出力レーザ光の周波数のアセチレン分子吸収線の吸収ピーク周波数からのずれ量とその方向が誤差電圧信号としてされる。ロックインアンプ１０８からの誤差電圧信号を電流源１０２に負帰還することにより、レーザ周波数を吸収線へ安定化している。
【００１０】
周波数安定化レーザ１００は、電流源１０２からＤＦＢ半導体レーザへの注入電流を変調しているため、出力レーザ光には位相変調成分と強度変調成分とが重畳されており、その結果レーザの線幅が拡がっている。
【００１１】
図２は、従来の外部変調方式の周波数安定化レーザの構成を示す図である（非特許文献４参照）。図２の周波数安定化レーザ２００は、光源であるファイバレーザ２１２と、ファイバレーザ２１２からの出力レーザ光が入射される光ファイバ型分岐回路２１３と、光ファイバ型分岐回路２１３からの一部のレーザ光を受光する光ファイバ結合型ＬＮ光位相変調器２１４とを備える。また、周波数安定化レーザ２００は、光ファイバ結合型ＬＮ光位相変調器２１４からのレーザ光が透過するレンズ２１５と、レンズ２１５を透過したレーザ光の周波数を弁別するガスセル２１７と、ガスセル２１７を透過した光の強度を検出する光検出器２１８とを備える。また、周波数安定化レーザ２００は、ファイバレーザ２１２を変調する変調信号発生器２２１と、光検出器２１８の出力信号及び変調信号発生器２２１からの信号を受信するダブルバランスドミキサ２１９と、ダブルバランスドミキサ２１９からの信号を調整してファイバレーザ２１２に印加する負帰還回路２２０とを備える。ガスセル２１７は、アセチレンガスが封入されたガラス製のガスセルであり、アセチレン分子の線形吸収線を光周波数基準として用いている。
【００１２】
周波数安定化レーザ２００は、ダブルバランスドミキサ２１９の位相敏感検波によって得られた、光検出器２１８の出力信号と変調信号発生器２２１からの信号との誤差電圧信号を、ファイバレーザ２１２の周波数調整機構に負帰還することでレーザ周波数を安定化している。周波数安定化レーザ２００は、位相変調をファイバレーザ２１２外部に設置した光ファイバ結合型ＬＮ（ＬｉＮｂＯ3）光位相変調器２１４を用いて行うため、無変調なレーザ出力が得られる。しかしながら深い位相変調を実現するために、非特許文献３において用いている変調信号よりも１０００倍大きな変調周波数を採用し、また信号振幅も〜１Ｗと非常に大きなパワーが必要となっている。
【先行技術文献】
【非特許文献】
【００１３】
【非特許文献１】A.D.White, “Control system for frequency stabilizing a 6328 Å gas laser,” Rev. Sci. Instrum. vol.38, no.8, p.1079, 1967.
【非特許文献２】K.Shimoda, “Absolute frequency stabilization of 3.39 mm laser on a CH4 line,” IEEE Trans. on Instrum. and Measure., IM-17, p.343, 1968.
【非特許文献３】S.Sudo, Y.Sakai, H.Yasaka, and T.Ikegami, “Frequency stabilization of 1.55 μm DFB laser diode using vibrational-rotational absorption of 13C2H2 molecules,” IEEE Photon. Technol. Lett., vol.1, no.11, pp.392, 1989.
【非特許文献４】葛西恵介, 吉田真人, 中沢正隆, “アセチレン(13C2H2)分子の吸収線を用いた偏波保持周波数安定化ファイバレーザ,” 電子情報通信学会論文誌C Vol. J-88-C, No.9, p.708, 2005.
【発明の概要】
【発明が解決しようとする課題】
【００１４】
従来の直接変調方式の周波数安定化レーザは、余分な光位相変調器が不要であり、また容易に深い位相変調が実現できるため大きなパワーの変調信号も必要しない。そのため比較的省スペースで低コスト、且つ消費電力も少ない周波数安定化レーザが実現できる。しかしながら、レーザ出力には位相変調成分や強度変調成分が重畳されるといった問題がある。
【００１５】
一方従来の外部変調方式の周波数安定化レーザは無変調出力であることが大きな特徴である。しかしながら、共振器外部に余分に光位相変調が必要となり、さらには深い位相変調を実現するためには非常に大きなパワーの変調信号を用意する必要がある。そのため、直接変調方式の周波数安定化レーザと比較すると、レーザ構成がやや大型化し、コスト及び消費電力の増大といったデメリットがある。
【００１６】
本発明は上記の問題を解決するためのものであり、強度雑音が小さく、無変調出力が得られる周波数安定化レーザを簡便な構成で実現することを目的とする。
【課題を解決するための手段】
【００１７】
このような目的を達成するために、本発明の第１の態様は、単一周波数発振し、両劈開面より出力を取り出せる半導体レーザと、前記半導体レーザに注入する電流を変調する変調信号を発生する変調信号発生器と、第１の光導波路を介して前記半導体レーザの一方の劈開面に接続され、前記半導体レーザの発振波長に対して光学利得を有さない位相調整領域と光学利得を有する利得領域を光導波路内に有し、前記位相調整領域及び前記利得領域に電流を注入できる半導体光増幅器と、前記半導体レーザの他方の劈開面からの出力レーザ光の周波数の、光周波数基準からのずれ量とその方向とを示す誤差電圧信号を検出し、前記誤差電圧信号を、前記半導体レーザに負帰還する周波数安定化回路とを備え、出力が飽和する条件で動作させた前記半導体光増幅器に前記半導体レーザの出力レーザ光を入射して光増幅し、前記変調信号の振幅と位相を調整した後、前記半導体光増幅器の位相調整領域に負帰還することを特徴とする。
【００１８】
また、本発明の第２の態様は、第１の態様の周波数安定化レーザであって、前記周波数安定化回路は、第２の光導波路を介して前記半導体レーザの他方の劈開面に接続された周波数弁別素子と、前記周波数弁別素子を透過した出力レーザ光を検出する光検出器と、前記光検出器に接続された同期検波回路と、前記同期検波回路の出力端に接続された負帰還制御回路と、前記負帰還制御回路から出力される電圧信号と前記変調信号と加算する加算回路とを備え、前記光検出器からの出力される電気信号と前記変調信号発生器から出力される信号の一部とを用い、前記同期検波回路において同期検波を行うことで前記周波数弁別素子の共鳴周波数と前記半導体レーザの発振周波数との差を示す誤差電圧信号を前記同期検波回路より出力し、前記誤差電圧信号の振幅と位相を適当に調整した後、前記加算回路を介して前記半導体レーザの注入電流に負帰還することを特徴とする。
【００１９】
また、本発明の第３の態様は、第２の態様の周波数安定化レーザであって、前記周波数弁別素子は、特定の波長の光を吸収するガスが封入されたガスセルであり、前記特定の波長の光を吸収するガスの吸収スペクトルを基準周波数として利用するガスセルことを特徴とする。
【００２０】
また、本発明の第４の態様は、第２の態様の周波数安定化レーザであって、前記周波数弁別素子は、光フィルタであり、前記光フィルタの共振スペクトルを基準周波数として利用することを特徴とする。
【００２１】
また、本発明の第５の態様は、第４の態様の周波数安定化レーザであって、低熱膨張係数を有する材料を用いた光フィルタの共振スペクトルを基準周波数として利用することを特徴とする。
【００２２】
また、本発明の第６の態様は、第２乃至第５のいずれか一つの態様の周波数安定化レーザであって、前記第１の光導波路及び前記第２の光導波路は光ファイバであることを特徴とする。
【００２３】
また、本発明の第７の態様は、第６の態様の周波数安定化レーザであって、前記第１の光導波路及び前記第２の光導波路は偏波保持光ファイバであることを特徴とする。
【００２４】
また、本発明の第８の態様は、第２乃至第５のいずれか一つの態様の周波数安定化レーザであって、前記第１の光導波路及び前記第２の光導波路はレンズを用いた空間結合回路であることを特徴とする。
【発明の効果】
【００２５】
以上説明したように、本発明によれば、強度雑音が小さく、無変調出力が得られる周波数安定化レーザを簡便な構成で実現することができる。
【図面の簡単な説明】
【００２６】
【図１】従来の直接変調方式の周波数安定化レーザの構成を示す図である。
【図２】従来の外部変調方式の周波数安定化レーザの構成を示す図である。
【図３】本発明の第１の実施形態に係る周波数安定化レーザの構成を示す図である。
【図４】本発明の第２の実施形態に係る周波数安定化レーザの構成を示す図である。
【発明を実施するための形態】
【００２７】
以下、図面を参照しながら本発明の実施形態について詳細に説明する。
【００２８】
［第１の実施形態］
図３は、本発明の第１の実施形態に係る周波数安定化レーザの構成を示す図である。図３の周波数安定化レーザ３００は、光源であるＤＦＢ半導体レーザ３２２と、ＤＦＢ半導体レーザ３２２からの出力レーザ光を伝搬する光導波路３２３と、光導波路３２３からのレーザ光を増幅する半導体光増幅器３２４と、半導体光増幅器３２４からのレーザ光を透過するレンズ３２６と、レンズ３２６を透過したレーザ光が入射する光ファイバ３２８とを備える。また、周波数安定化レーザ３００は、ＤＦＢ半導体レーザ３２２からのレーザ光が透過するレンズ３２７と、レンズ３２７を透過したレーザ光の周波数を弁別するガスセル３２９と、ガスセル３２９を透過した光の強度を検出する光検出器３３０とを備える。また、周波数安定化レーザ３００は、ＤＦＢ半導体レーザ３２２を駆動する電流源３２５と、電流源３２５及び半導体光増幅器３２４を変調する変調信号発生器３３１と、変調信号発生器３３１からの信号を調整して半導体光増幅器３２４に出力する負帰還回路３３４とを備える。また、周波数安定化レーザ３００は、光検出器３３０の出力信号と及び変調信号発生器からの信号を受信するダブルバランスドミキサ３３２と、ダブルバランスドミキサ３３２からの信号を調整する負帰還回路３３３と、変調信号発生器からの信号と負帰還回路からの信号を加算して電流源３２５に出力する加算回路３３５とを備える。
【００２９】
ここで、レンズ３２７と、ガスセル３２９と、光検出器３３０と、ダブルバランスドミキサ３３２と、加算回路３３５とは、出力レーザ光の周波数の、光周波数基準からのずれ量とその方向とを示す誤差電圧信号を検出する位相敏感検波回路を構成する。また、位相敏感検波回路と、負帰還回路３３３とは、周波数安定化回路を構成し、位相敏感検波回路からの前記誤差電圧を、前記半導体レーザに負帰還する。
【００３０】
光源となるＤＦＢ半導体レーザ３２２は、単一周波数発振し、両劈開面よりレーザ光が出力される。ＤＦＢ半導体レーザ３２２は、変調信号発生器３３１からの変調信号が印加された電流源３２５により駆動される。ＤＦＢ半導体レーザ３２２の一方の劈開面から出力されるレーザ光はレンズ３２７を介してガスセル３２９に結合され、ガスセル３２９を透過したレーザ光は光検出器３３０に入射される。光検出器３３０においてガスセル３２９を透過したレーザ光の光強度が検出され、電圧信号に変換される。光検出器３３０からの電圧信号と、変調信号発生器３３１より出力される変調信号の一部とをダブルバランスドミキサ３３２に入力して同期検波を行う。ここで、ＤＦＢ半導体レーザ３２２の一方の劈開面から出力されるレーザ光の周波数がアセチレン分子吸収線のピーク周波数からずれた場合、ずれ量とその方向を示す誤差電圧信号がダブルバランスドミキサ３３２から出力される。この誤差電圧信号が、位相敏感検波によって出力レーザ光の周波数の光周波数基準からのずれ量とその方向を示す誤差電圧信号となる。出力された誤差電圧信号は、負帰還回路３３３を用いて振幅と位相とが適切に調整され、加算回路３３５を介して変調信号発生器３３１の変調信号と加算され、電流源３２５にフィードバックすることでレーザ周波数を吸収線に安定化する。
【００３１】
ガスセル３２９は、周波数弁別素子としてアセチレンガスが封入されたガラス製ガスセルであり、例えば数ｍＴｏｒｒの圧力でアセチレンガスが封入された長さ１０ｃｍ程度のガラス製セルを用いる。この場合、吸収線の線幅はおよそ５００ＭＨｚ程度となる。ここで、５００ＭＨｚ程度の吸収線を用いてＳＮ比の高い（雑音の少ない）誤差電圧信号を得るためには、変調信号発生器３３１において２５０ＭＨｚ程度の変調幅を有する位相変調を行う必要がある。
【００３２】
ＤＦＢ半導体レーザ３２２のもう一方の劈開面から出力される出力レーザ光は、光導波路３２３を介し半導体光増幅器３２４へ入射される。半導体光増幅器３２４は、光学利得を有さない位相調整領域３２４−１と光学利得を有する利得領域３２４−２との２つの領域を有し、利得領域３２４−２に適切な電流を流し飽和光強度まで出力レーザ光を増幅する。半導体光増幅器３２４をリミッティングアンプとして動作させることにより、出力レーザ光に重畳された強度変調成分を抑制する。増幅されたレーザ光はレンズ３２６を介して光ファイバ３２８へ結合され、周波数安定化レーザ３００の出力レーザ光として取り出される。
【００３３】
また、変調信号発生器３３１より出力される変調信号の一部を分岐し、負帰還回路３３４によって変調信号発生器３３１の信号の振幅と位相を適切に調整して半導体光増幅器３２４での位相調整領域３２４−１へフィードバックする。これにより、出力レーザ光に重畳された位相変調成分を相殺する。
【００３４】
ここで、光導波路３２３及びレンズ３２７は光ファイバでもよい。また光ファイバとしては偏波保持光ファイバを用いても良い。光導波路３２３及びレンズ３２７に偏波保持光ファイバを用いることで、光ファイバ中を伝搬する光波の偏波状態を一定に保つことが出来る。その結果、偏波変動に伴うレーザ出力強度の揺らぎを取り除くことが出来る。レーザ出力強度の揺らぎは周波数安定度の劣化を招くため、高い周波数安定度の実現という観点からも偏波保持光ファイバの使用は有効である。
【００３５】
以上の様にＤＦＢ半導体レーザ３２２の外部に設置した半導体光増幅器３２４を用いて、出力レーザ光の強度変調成分及び位相変調成分の抑制を図ることにより、強度雑音の小さい無変調出力型周波数安定化レーザを実現することができる。
【００３６】
［第２の実施形態］
図４は、本発明の第２の実施形態に係る周波数安定化レーザの構成を示す図である。図４の周波数安定化レーザ４００は、光源であるＤＦＢ半導体レーザ４３６と、ＤＦＢ半導体レーザ４３６からの出力レーザ光を伝搬する光導波路４３７と、光導波路４３７からのレーザ光を増幅する半導体光増幅器４３８と、半導体光増幅器４３８からのレーザ光を透過するレンズ４４０と、レンズ４４０を透過したレーザ光が入射する光ファイバ４４２とを備える。また、周波数安定化レーザ４００は、ＤＦＢ半導体レーザ４３６からのレーザ光が透過するレンズ４４１と、レンズ４４１を透過したレーザ光の周波数を弁別する光フィルタ４４３と、光フィルタ４４３を透過した光の強度を検出する光検出器４４４とを備える。また、周波数安定化レーザ４００は、ＤＦＢ半導体レーザ４３６を駆動する電流源４３９と、電流源４３９及び半導体光増幅器４３８を変調する変調信号発生器４４５と、変調信号発生器４４５からの信号を調整して半導体光増幅器４３８に出力する負帰還回路４４８とを備える。また、周波数安定化レーザ４００は、光検出器４４４の出力信号と及び変調信号発生器からの信号を受信するダブルバランスドミキサ４４６と、ダブルバランスドミキサ４４６からの信号を調整する負帰還回路４４７と、変調信号発生器からの信号と負帰還回路からの信号を加算して電流源４３９に出力する加算回路４４９とを備える。
【００３７】
本実施形態においては、第１の実施形態の周波数安定化レーザ３００の構成とほぼ等しいが、周波数弁別素子としてアセチレンガスが封入されたガラス製ガスセル３２９の代わりに光フィルタ４４３を用いている。ここで、光フィルタ４４３は例えば誘電体多層膜波長可変フィルタでもよい。また、光低熱膨張係数を有する材料から成る光フィルタを用いても良い。この場合、光フィルタ４４３を高精度に温調することで透過ピーク周波数の変動が極めて小さい高安定な周波数弁別素子を得ることが出来る。そのためこれを用いた周波数安定化レーザでは高い長期周波数安定度が得られる。
【００３８】
アセチレンなどのガスはある特定の波長の光を吸収する。そのためガスセルを周波数弁別素子として用いた周波数安定化レーザはガスの吸収が生じるある特定の波長でのみ動作する。その一方で光フィルタは透過ピーク波長を任意に設定して作製することができる。また、波長可変フィルタは一台の光フィルタで透過ピーク波長を任意に設定可能である。そのため、これらを用いた周波数安定化レーザは任意の波長で動作させることができる。
【産業上の利用可能性】
【００３９】
本発明は、超多値信号を用いたWDMコヒーレント光伝送用光源や高精度な光干渉システムに用いる光源として好適なものである。
【符号の説明】
【００４０】
１０１、３２２、４３６  ＤＦＢ半導体レーザ
１０２、３２５、４３９  電流源
１０３、１０４、２１５、２１６、３２６、３２７、４４０、４４１  レンズ
１０５、３２８、４４２  光ファイバ
１０６、２１７、３２９  ガスセル
１０７、２１８、３３０、４４４  光検出器
１０８  ロックインアンプ
１０９、２２１、３３１、４４５  変調信号発生器
１１０、２２０、３３３、３３４、４４７、４４８  負帰還回路
１１１、３３５、４４９  加算回路
２１２  ファイバレーザ
２１３  光ファイバ型光分岐回路
２１４  光ファイバ結合型ＬＮ位相変調器
２１９、３３２、４４６  ダブルバランスドミキサ
３２３、４３７  光導波路
３２４、４３８  半導体光増幅器
４４３  光フィルタ
【図１】
2018032822.tif 000003
【図２】
2018032822.tif 000004
【図３】
2018032822.tif 000005
【図４】
2018032822.tif 000006